(57)【要約】【課題】用紙に電子ペンで記入された記入内容を記憶し、ユーザが任意に記入内容を再現して表示することで筆記の簡略化が可能なシステムを提供する。【解決手段】ユーザが電子ペン１で登録用用紙２にストロークを記入すると、コンピュータ装置４は、電子ペン１からストローク情報を含む記入情報を受信し、記憶する。次に、コンピュータ装置４は、ストローク情報に基づいて、当該ストロークの表示を指示するための表示指示エリアを有する表示用用紙７をプリンター６に出力させる。ユーザが表示指示エリアにストロークを記入すると、コンピュータ装置４は、表示指示エリアにおける位置座標を含む記入情報を電子ペンから受信し、記憶した記入情報に基づくストロークを表示させる。【選択図】図１５
2010244391.tif 000002
【特許請求の範囲】
【請求項１】
位置座標を示すコード化パターンを読み取って、ストロークを構成する位置座標を演算し、当該位置座標を含む記入情報を生成する電子ペンと、
コード化パターンが印刷されており、ストロークを電子ペンで記入するためのユーザエリアを有する登録用用紙と、
電子ペンから、前記登録用用紙の前記ユーザエリアに記入されたストロークの位置座標を含む記入情報を受信する受信手段と、前記受信手段によって受信した前記ストロークの記入情報を記憶する第１の記憶手段と、前記ストロークを印刷するようプリンターに指示する処理手段とを有するコンピュータ装置とを備え、
前記プリンターは、前記ストロークを印刷してコード化パターンが形成された表示用用紙を出力し、
電子ペンによって、前記表示用用紙に形成された表示指示エリアにストロークが記入されたときに、前記コンピュータ装置において、前記受信手段が、前記表示指示エリアにおける位置座標を含む記入情報を電子ペンから受信し、前記処理手段が、前記第１の記憶手段に記憶した記入情報に基づくストロークを表示手段に表示させること
を特徴とするスタンプ登録表示システム。
【請求項２】
コード化パターンが印刷された記入用紙をさらに備え、
前記コンピュータ装置において、前記受信手段が、電子ペンによって前記記入用紙上で指定された位置の記入情報を受信すると、前記処理手段は、前記記入用紙上で指定された位置に対応して、前記表示手段に前記第１の記憶手段に記憶した記入情報に基づくストロークを表示させること
を特徴とする請求項１に記載のスタンプ登録表示システム。
【請求項３】
前記コンピュータ装置において、
前記第１の記憶手段は、ユーザエリアごとに、ストロークの記入情報を区別して記憶し、
前記処理手段は、前記第１の記憶手段に記憶されたユーザエリアごとのストロークを区別可能に印刷するようプリンターに指示し、
電子ペンによって、前記表示用用紙に印刷された複数のストロークのうち、特定のストロークに対応する表示指示エリアに記入されると、前記受信手段が、前記特定された表示指示エリアにおける位置座標を含む記入情報を電子ペンから受信し、前記処理手段が、前記第１の記憶手段に記憶した記入情報に基づいて、前記特定されたストロークを前記表示手段に表示させること
を特徴とする請求項１又は２に記載のスタンプ登録表示システム。
【請求項４】
前記登録用用紙は、さらに、前記ユーザエリアに記入されたストロークの登録指示を前記電子ペンから送信させるための登録指示エリアを有し、
前記コンピュータ装置において、電子ペンから前記登録指示エリアの記入情報を受信するまでは、受信したストロークの記入情報を前記第１の記憶手段に一時記憶し、電子ペンから前記登録指示エリアの記入情報を受信すると、それまでに受信したストロークの記入情報を前記第１の記憶手段に記憶し、
前記処理手段は、前記登録指示エリアの記入情報の受信により記憶された前記ストロークを印刷するようプリンターに指示することを特徴とする請求項１〜３のうちいずれか一項に記載のスタンプ登録表示システム。
【請求項５】
前記登録用用紙は、さらに、前記ユーザエリアに記入されたストロークの登録指示を前記電子ペンから送信させるための登録指示エリアを有し、
電子ペンは、前記登録指示エリアのコード化パターンを読み取るまでは、前記ユーザエリアに記入されたストロークの位置座標を内蔵する第２の記憶手段に記憶し、前記登録指示エリアのコード化パターンを読み取ったときに、前記第２の記憶手段に記憶したストロークの位置座標を含む記入情報を、前記コンピュータ装置へ送信することを特徴とする請求項１〜３のうちいずれか一項に記載のスタンプ登録表示システム。
【請求項６】
位置座標を示すコード化パターンを読み取って、ストロークを構成する位置座標を演算し、当該位置座標を含む記入情報を生成する電子ペンと、
コード化パターンが印刷されており、ストロークを電子ペンで記入するためのユーザエリアと、電子ペンによって前記ユーザエリアに記入されたストロークの表示を指示するための表示指示エリアとを有する登録兼表示指示用用紙と、
電子ペンから記入内容の位置座標を含む記入情報を受信する受信手段と、前記登録兼表示指示用用紙の前記ユーザエリアに電子ペンによって記入されたときに前記受信手段によって受信したストロークの記入情報を記憶する第１の記憶手段と、前記受信手段が前記表示指示エリアにおける位置座標を含む記入情報を電子ペンから受信したときに、前記第１の記憶手段に記憶した記入情報に基づくストロークを表示手段に表示させる処理手段とを有するコンピュータ装置と
を備えることを特徴とするスタンプ登録表示システム。
【請求項７】
コード化パターンが印刷された記入用紙をさらに備え、
前記コンピュータ装置において、前記受信手段が、電子ペンによって前記記入用紙上で指定された位置の記入情報を受信すると、前記処理手段は、前記記入用紙上で指定された位置に対応して、前記表示手段に前記第１の記憶手段に記憶した記入情報に基づくストロークを表示させること
を特徴とする請求項６に記載のスタンプ登録表示システム。
【請求項８】
前記登録兼表示指示用用紙は、さらに、前記ユーザエリアに記入されたストロークの登録指示を前記電子ペンから送信させるための登録指示エリアを有し、
前記コンピュータ装置において、電子ペンから前記登録指示エリアの記入情報を受信するまでは、受信したストロークの記入情報を前記第１の記憶手段に一時記憶し、電子ペンから前記登録指示エリアの記入情報を受信すると、それまでに受信したストロークの記入情報を前記第１の記憶手段に記憶し、
前記処理手段は、前記登録指示エリアの記入情報の受信により記憶された前記ストロークを、前記表示手段に表示させることを特徴とする請求項６又は７に記載のスタンプ登録表示システム。
【請求項９】
前記登録兼表示指示用用紙は、さらに前記ユーザエリアに記入されたストロークの登録指示を前記電子ペンから送信させるための登録指示エリアを有し、
電子ペンは、前記登録指示エリアのコード化パターンを読み取るまでは、前記ユーザエリアに記入されたストロークの位置座標を内蔵する第２の記憶手段に記憶し、前記登録指示エリアのコード化パターンを読み取ったときに、前記第２の記憶手段に記憶したストロークの位置座標を含む記入情報を、前記コンピュータ装置へ送信することを特徴とする請求項６又は７に記載のスタンプ登録表示システム。
【請求項１０】
コード化パターンが印刷されており、ストロークを電子ペンで記入するためのユーザエリアを有する登録用用紙とともに使用され、位置座標を示すコード化パターンを読み取って、ストロークを構成する位置座標を演算し、当該位置座標を含む記入情報を生成する電子ペンと通信可能なコンピュータ装置上で実行されるプログラムであって、
電子ペンから、前記登録用用紙の前記ユーザエリアに記入されたストロークの位置座標を含む記入情報を受信する受信手段、
前記受信手段によって受信した前記ストロークの記入情報を記憶する第１の記憶手段、
前記ストロークを印刷するようプリンターに指示する処理手段、として前記コンピュータ装置を機能させ、
前記プリンターが前記ストロークを印刷してコード化パターンが形成された表示用用紙において、当該表示用用紙に形成された表示指示エリアに、電子ペンによって、ストロークが記入されたときに、
前記受信手段を、前記表示指示エリアにおける位置座標を含む記入情報を電子ペンから受信するよう機能させ、
前記処理手段を、前記第１の記憶手段に記憶した記入情報に基づくストロークを表示手段に表示させるよう機能させること
を特徴とするプログラム。
【請求項１１】
コード化パターンが印刷されており、ストロークを電子ペンで記入するためのユーザエリアと、電子ペンによって前記ユーザエリアに記入されたストロークの表示を指示するための表示指示エリアとを有する登録兼表示指示用用紙とともに使用され、位置座標を示すコード化パターンを読み取って、ストロークを構成する位置座標を演算し、当該位置座標を含む記入情報を生成する電子ペンと通信可能なコンピュータ装置上で実行されるプログラムであって、
電子ペンから記入内容の位置座標を含む記入情報を受信する受信手段、
前記登録兼表示指示用用紙の前記ユーザエリアに電子ペンによって記入されたときに前記受信手段によって受信したストロークの記入情報を記憶する第１の記憶手段、
前記受信手段が前記表示指示エリアにおける位置座標を含む記入情報を電子ペンから受信したときに、前記第１の記憶手段に記憶した記入情報に基づくストロークを表示手段に表示させる処理手段、
として前記コンピュータ装置を機能させることを特徴とするプログラム。
【発明の詳細な説明】
【技術分野】
【０００１】
本発明は、電子ペンから受信したストローク情報をスタンプとして登録し、電子ペンの指示によってそのスタンプを表示するスタンプ登録表示システム、及びそのプログラムに関する。
【背景技術】
【０００２】
近年、記入した情報を電子化する電子ペンが開発されており、その代表的なものとしてスウェーデンのAnoto 社が開発した「アノトペン（Anoto pen）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
特許文献２には、専用の被筆記媒体に手書きで筆記された絵や文字等のメッセージを画像情報とし、対応する画像を他の装置において使用者が見ることを可能とする画像配信システムが記載されている。
【０００４】
特許文献３には、手書き文字認識処理によって複数の文字から構成される絵文字を一つの文字として入力できるようにすることで、文字入力の負担を軽減し入力効率を向上させることが可能な手書き文字入力装置、手書き文字認識プログラム（タブレット）が記載されている。
【先行技術文献】
【特許文献】
【０００５】
【特許文献１】特表２００３−５１１７６１号公報
【特許文献２】特開２００７−０１８１８５号公報
【特許文献３】特開２００３−１６２６８７号公報
【発明の概要】
【発明が解決しようとする課題】
【０００６】
従来、手書きするものの中には、以前筆記したものを複製的に２回以上繰り返して使いたい場合がある。例えば添削業務において、生徒が解答した答案用紙に、「○」、「×」、「△」などの記号や点数、コメントを筆記する際、それらの他に添削者のトレードマークやシンボルなどの絵柄を描いたり、スタンプ印を押したりすることがあるが、それらのトレードマークなどは繰り返し使われるものである。
【０００７】
電子ペンを使った添削業務においては、それらの絵柄等を電子ペンで描き、添削内容とあわせてデータ化することが可能だが、この場合、毎回同じ絵柄等を描かなければならないという手間が発生する。スタンプ印を使えば同じ絵柄等を繰り返し使えるため便利であるが、その場合、スタンプ印による絵柄等を電子データ化することができないため、電子ペンで筆記した添削内容と合わせて、コンピュータ上で処理することが難しい。また、このような同じ絵柄や文言等の繰り返し使用は、添削業務に限らず、オフィスでのメモ書きや、プレゼンテーションなどでも、必要とされる。
【０００８】
そこで、本発明は、電子ペンを利用したシステムにおいて、用紙に電子ペンで記入された記入内容を記憶し、ユーザが任意に記入内容を再現して表示することで筆記の簡略化が可能なシステムを提供する。
【課題を解決するための手段】
【０００９】
本発明の１つの観点では、スタンプ登録表示システムは、位置座標を示すコード化パターンを読み取って、ストロークを構成する位置座標を演算し、当該位置座標を含む記入情報を生成する電子ペンと、コード化パターンが印刷されており、ストロークを電子ペンで記入するためのユーザエリアを有する登録用用紙と、電子ペンから、前記登録用用紙の前記ユーザエリアに記入されたストロークの位置座標を含む記入情報を受信する受信手段と、前記受信手段によって受信した前記ストロークの記入情報を記憶する第１の記憶手段と、前記ストロークを印刷するようプリンターに指示する処理手段とを有するコンピュータ装置とを備え、前記プリンターは、前記ストロークを印刷してコード化パターンが形成された表示用用紙を出力し、電子ペンによって、前記表示用用紙に形成された表示指示エリアにストロークが記入されたときに、前記コンピュータ装置において、前記受信手段が、前記表示指示エリアにおける位置座標を含む記入情報を電子ペンから受信し、前記処理手段が、前記第１の記憶手段に記憶した記入情報に基づくストロークを表示手段に表示させる。
【００１０】
上記のスタンプ登録表示システムにおいては、ユーザが電子ペンで登録用用紙のユーザエリアにストロークを記入すると、受信手段は、電子ペンから記入されたストロークの記入情報を受信し、第１の記憶手段は、電子ペンから受信した記入情報を記憶する。処理手段は、当該ストロークを印刷するようプリンターに指示し、プリンターは、当該ストロークを印刷してコード化パターンが形成された表示用用紙を出力する。電子ペンによって、表示用用紙の表示指示エリアにストロークが記入されたとき、受信手段は、表示指示エリアにおける位置座標を含む記入情報を電子ペンから受信し、処理手段は、前記第１の記憶手段に記憶した記入情報に基づくストロークを表示手段に表示させる。このように、このスタンプ登録表示システムによれば、用紙に電子ペンで記入された記入内容のストロークを記憶し、ユーザは任意に当該ストロークを再現して表示することができ、筆記の簡略化が可能となる。
【００１１】
上記スタンプ登録表示システムの一態様では、コード化パターンが印刷された記入用紙をさらに備え、前記コンピュータ装置において、前記受信手段が、電子ペンによって前記記入用紙上で指定された位置の記入情報を受信すると、前記処理手段は、前記記入用紙上で指定された位置に対応して、前記表示手段に前記第１の記憶手段に記憶した記入情報に基づくストロークを表示させる。これにより、ユーザは、記入用紙上に対応する表示手段の任意の位置に、記憶しておいたストロークを再現して表示することができる。
【００１２】
上記スタンプ登録表示システムの一態様では、前記コンピュータ装置において、前記第１の記憶手段は、ユーザエリアごとに、ストロークの記入情報を区別して記憶し、前記処理手段は、前記第１の記憶手段に記憶されたユーザエリアごとのストロークを区別可能に印刷するようプリンターに指示し、電子ペンによって、前記表示用用紙に印刷された複数のストロークのうち、特定のストロークに対応する表示指示エリアに記入されると、前記受信手段が、前記特定された表示指示エリアにおける位置座標を含む記入情報を電子ペンから受信し、前記処理手段が、前記第１の記憶手段に記憶した記入情報に基づいて、前記特定されたストロークを前記表示手段に表示させる。これにより、ユーザは、表示用用紙に印刷された複数のストロークの中から任意のストロークを選択し、再現して表示することができる。
【００１３】
上記スタンプ登録表示システムの一態様では、前記登録用用紙は、さらに、前記ユーザエリアに記入されたストロークの登録指示を前記電子ペンから送信させるための登録指示エリアを有し、前記コンピュータ装置において、電子ペンから前記登録指示エリアの記入情報を受信するまでは、受信したストロークの記入情報を前記第１の記憶手段に一時記憶し、電子ペンから前記登録指示エリアの記入情報を受信すると、それまでに受信したストロークの記入情報を前記第１の記憶手段に記憶し、前記処理手段は、前記登録指示エリアの記入情報の受信により記憶された前記ストロークを印刷するようプリンターに指示する。この態様では、ユーザが登録用用紙のユーザエリアにストロークを記入しても、記入情報はコンピュータ装置の第１の記憶手段に一時記憶されるのみであり、登録指示エリアに記入してはじめて保存される。これにより、ユーザが間違ったストロークを記入した場合でも、登録指示エリアに記入していなければ保存されないので、ユーザは、ストロークを書き間違えた場合には、コンピュータ装置に保存させないようにすることができる。
【００１４】
上記スタンプ登録表示システムの一態様では、前記登録用用紙は、さらに、前記ユーザエリアに記入されたストロークの登録指示を前記電子ペンから送信させるための登録指示エリアを有し、電子ペンは、前記登録指示エリアのコード化パターンを読み取るまでは、前記ユーザエリアに記入されたストロークの位置座標を内蔵する第２の記憶手段に記憶し、前記登録指示エリアのコード化パターンを読み取ったときに、前記第２の記憶手段に記憶したストロークの位置座標を含む記入情報を、前記コンピュータ装置へ送信する。この態様では、ユーザが登録用用紙のユーザエリアにストロークを記入しても、記入情報は電子ペンの第２の記憶手段に一時記憶されるのみであり、登録指示エリアに記入してはじめて、当該ストロークの位置座標を含む記入情報をコンピュータ装置に送信する。これにより、ユーザが間違ったストロークを記入した場合でも、登録指示エリアに記入していなければ、記入情報がコンピュータ装置に送信されないので、ユーザは、ストロークを書き間違えた場合には、コンピュータ装置に保存させないようにすることができる。
【００１５】
本発明の他の観点では、スタンプ登録表示システムは、位置座標を示すコード化パターンを読み取って、ストロークを構成する位置座標を演算し、当該位置座標を含む記入情報を生成する電子ペンと、コード化パターンが印刷されており、ストロークを電子ペンで記入するためのユーザエリアと、電子ペンによって前記ユーザエリアに記入されたストロークの表示を指示するための表示指示エリアとを有する登録兼表示指示用用紙と、電子ペンから記入内容の位置座標を含む記入情報を受信する受信手段と、前記登録兼表示指示用用紙の前記ユーザエリアに電子ペンによって記入されたときに前記受信手段によって受信したストロークの記入情報を記憶する第１の記憶手段と、前記受信手段が前記表示指示エリアにおける位置座標を含む記入情報を電子ペンから受信したときに、前記第１の記憶手段に記憶した記入情報に基づくストロークを表示手段に表示させる処理手段とを有するコンピュータ装置とを備える。
【００１６】
上記のスタンプ登録表示システムにおいては、ユーザが電子ペンで登録兼表示指示用用紙のユーザエリアにストロークを記入すると、受信手段は、電子ペンから記入されたストロークの記入情報を受信し、第１の記憶手段は、電子ペンから受信した記入情報を記憶する。電子ペンによって、登録兼表示指示用用紙の表示指示エリアにストロークが記入されたとき、受信手段は、表示指示エリアにおける位置座標を含む記入情報を電子ペンから受信し、処理手段は、前記第１の記憶手段に記憶した記入情報に基づくストロークを表示手段に表示させる。このように、このスタンプ登録表示システムによれば、用紙に電子ペンで記入された記入内容のストロークを記憶し、ユーザは任意に当該ストロークを再現して表示することができ、筆記の簡略化が可能となる。また、このスタンプ登録表示システムによれば、登録用用紙と表示用用紙とを１枚で兼用することができ、表示用用紙を出力するプリンターが不要となる。
【００１７】
上記スタンプ登録表示システムの一態様では、コード化パターンが印刷された記入用紙をさらに備え、前記コンピュータ装置において、前記受信手段が、電子ペンによって前記記入用紙上で指定された位置の記入情報を受信すると、前記処理手段は、前記記入用紙上で指定された位置に対応して、前記表示手段に前記第１の記憶手段に記憶した記入情報に基づくストロークを表示させる。これにより、ユーザは、記入用紙上に対応する表示手段の任意の位置に、記憶しておいたストロークを再現して表示することができる。
【００１８】
上記スタンプ登録表示システムの一態様では、前記登録兼表示指示用用紙は、さらに、前記ユーザエリアに記入されたストロークの登録指示を前記電子ペンから送信させるための登録指示エリアを有し、前記コンピュータ装置において、電子ペンから前記登録指示エリアの記入情報を受信するまでは、受信したストロークの記入情報を前記第１の記憶手段に一時記憶し、電子ペンから前記登録指示エリアの記入情報を受信すると、それまでに受信したストロークの記入情報を前記第１の記憶手段に記憶し、前記処理手段は、前記登録指示エリアの記入情報の受信により記憶された前記ストロークを、前記表示手段に表示させる。この態様では、ユーザが登録兼表示指示用用紙のユーザエリアにストロークを記入しても、記入情報はコンピュータ装置の第１の記憶手段に一時記憶されるのみであり、登録指示エリアに記入してはじめて保存される。これにより、ユーザが間違ったストロークを記入した場合でも、登録指示エリアに記入していなければ保存されないので、ユーザは、ストロークを書き間違えた場合には、コンピュータ装置に保存させないようにすることができる。
【００１９】
上記スタンプ登録表示システムの一態様では、前記登録兼表示指示用用紙は、さらに前記ユーザエリアに記入されたストロークの登録指示を前記電子ペンから送信させるための登録指示エリアを有し、電子ペンは、前記登録指示エリアのコード化パターンを読み取るまでは、前記ユーザエリアに記入されたストロークの位置座標を内蔵する第２の記憶手段に記憶し、前記登録指示エリアのコード化パターンを読み取ったときに、前記第２の記憶手段に記憶したストロークの位置座標を含む記入情報を、前記コンピュータ装置へ送信する。この態様では、ユーザが登録兼表示指示用用紙のユーザエリアにストロークを記入しても、記入情報は電子ペンの第２の記憶手段に一時記憶されるのみであり、登録指示エリアに記入してはじめて、当該ストロークの位置座標を含む記入情報をコンピュータ装置に送信する。これにより、ユーザが間違ったストロークを記入した場合でも、登録指示エリアに記入していなければ、記入情報がコンピュータ装置に送信されないので、ユーザは、ストロークを書き間違えた場合には、コンピュータ装置に保存させないようにすることができる。
【００２０】
本発明の他の観点では、コード化パターンが印刷されており、ストロークを電子ペンで記入するためのユーザエリアを有する登録用用紙とともに使用され、位置座標を示すコード化パターンを読み取って、ストロークを構成する位置座標を演算し、当該位置座標を含む記入情報を生成する電子ペンと通信可能なコンピュータ装置上で実行されるプログラムは、電子ペンから、前記登録用用紙の前記ユーザエリアに記入されたストロークの位置座標を含む記入情報を受信する受信手段、前記受信手段によって受信した前記ストロークの記入情報を記憶する第１の記憶手段、前記ストロークを印刷するようプリンターに指示する処理手段、として前記コンピュータ装置を機能させ、前記プリンターが前記ストロークを印刷してコード化パターンが形成された表示用用紙において、当該表示用用紙に形成された表示指示エリアに、電子ペンによって、ストロークが記入されたときに、前記受信手段を、前記表示指示エリアにおける位置座標を含む記入情報を電子ペンから受信するよう機能させ、前記処理手段を、前記第１の記憶手段に記憶した記入情報に基づくストロークを表示手段に表示させるよう機能させる。
【００２１】
本発明の他の観点では、コード化パターンが印刷されており、ストロークを電子ペンで記入するためのユーザエリアと、電子ペンによって前記ユーザエリアに記入されたストロークの表示を指示するための表示指示エリアとを有する登録兼表示指示用用紙とともに使用され、位置座標を示すコード化パターンを読み取って、ストロークを構成する位置座標を演算し、当該位置座標を含む記入情報を生成する電子ペンと通信可能なコンピュータ装置上で実行されるプログラムは、電子ペンから記入内容の位置座標を含む記入情報を受信する受信手段、前記登録兼表示指示用用紙の前記ユーザエリアに電子ペンによって記入されたときに前記受信手段によって受信したストロークの記入情報を記憶する第１の記憶手段、前記受信手段が前記表示指示エリアにおける位置座標を含む記入情報を電子ペンから受信したときに、前記第１の記憶手段に記憶した記入情報に基づくストロークを表示手段に表示させる処理手段、として前記コンピュータ装置を機能させる。
【００２２】
これらのプログラムを実行することにより、上記のコンピュータ装置を実現することができる。
【発明の効果】
【００２３】
本発明によれば、電子ペンでユーザエリアに記入した情報を記憶させ、その記入情報を任意に再現して表示させることができる。これにより、ユーザは繰り返し利用したい記入データを、再度記入することなく複製利用することができ、利便性及び効率性が向上する。
【図面の簡単な説明】
【００２４】
【図１】第１実施形態におけるスタンプ登録表示システムのスタンプ登録時のシステム構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの構造を示す概略図である。
【図５】コンピュータ装置の機能ブロック図である。
【図６】（ａ）は、登録用用紙情報に関するデータ構造の例を示し、（ｂ）は、スタンプ情報の登録に関するデータ構造の例を示す図である。
【図７】表示用用紙情報に関するデータ構造の例を示す図である。
【図８】ユーザエリアの座標領域の規定を説明する図である。
【図９】第１実施形態におけるスタンプ登録処理の処理フローである。
【図１０】第１実施形態における表示用用紙出力処理の処理フローである。
【図１１】第１実施形態におけるスタンプ登録表示システムのスタンプ表示時のシステム構成図である。
【図１２】第１実施形態におけるスタンプ表示処理の処理フローである。
【図１３】第２実施形態におけるスタンプ登録表示システムのスタンプ登録時のシステム構成図である。
【図１４】第２実施形態におけるスタンプ登録表示ステムのスタンプ表示時のシステム構成図である。
【図１５】第２実施形態におけるスタンプ登録表示処理の処理フローである。
【発明を実施するための形態】
【００２５】
以下、図面を参照しながら、本発明の好適な実施の形態について説明する。
【００２６】
＜第１実施形態＞
［スタンプ登録表示システムのスタンプ登録時のシステム構成］
第１実施形態におけるスタンプ登録表示システムは、スタンプ登録時には、図１に示すように、ユーザが使用する電子ペン１と、登録用用紙２と、電子ペン１から記入情報等を受信して処理するコンピュータ装置４と、コンピュータ装置４からの出力命令に従って表示用用紙７を出力するプリンター６と、表示用用紙７とから構成される。
【００２７】
［登録用用紙］
まず、登録用用紙２について説明する。登録用用紙２は、後述するドットパターン（コード化パターン）が印刷された紙で構成され、さらに、ユーザが所望のマークやイラストや文字などの絵柄等を構成するストロークを、電子ペン１で記入するためのユーザエリア２ａと、ユーザエリア２ａに記入されたストロークの登録指示を電子ペン１から送信させるための登録指示エリア２ｂとが設けられている。ドットパターンは、赤外線を吸収するカーボンを含むインクによって印刷され、その他のユーザエリア２ａや登録指示エリア２ｂの枠線は、赤外線を吸収する材料を含まないインクによって印刷されている。ユーザが電子ペン１によってユーザエリア２ａ及び登録指示エリア２ｂ上に記入すると、電子ペン１は、ペン先部の移動軌跡に沿って、ユーザエリア２ａ及び登録指示エリア２ｂに印刷されたドットパターンを局所的、連続的に読み取り、登録用用紙２におけるその局所位置の座標を算出し、その電子データを逐次コンピュータ装置４へ送信する。
【００２８】
［表示用用紙］
次に、表示用用紙７について説明する。表示用用紙７は、登録用用紙２と同様に後述するドットパターンが印刷された紙で構成される。プリンター６は、ドットパターンと重畳して、スタンプ表示エリア８а〜１０ａと、スタンプ１２〜１４と、スタンプ１２〜１４の表示指示を電子ペン１から送信させるための表示指示エリア８ｂ〜１０ｂとを印刷する。このドットパターンも、赤外線を吸収するカーボンを含むインクによって印刷され、その他のスタンプ表示エリア８а〜１０ａ、表示指示エリア８ｂ〜１０ｂの枠線やスタンプ１２〜１４等は、赤外線を吸収する材料を含まないインクによって印刷されている。なお、プリンター６は、ドットパターンが予め印刷された用紙に、スタンプ表示エリア等を印刷するものとしてもよいし、ドットパターンとスタンプ表示エリア等とを印刷するものとしてもよい。また、ドットパターンとスタンプ表示エリア等とは、どちらを先に印刷するものとしてもよい。ユーザが電子ペン１によって表示用用紙７上の表示指示エリア８ｂ〜１０ｂのいずれかに記入すると、電子ペン１は、ペン先部の移動軌跡に沿って、当該表示指示エリアに印刷されたドットパターンを局所的、連続的に読み取り、表示用用紙７におけるその局所位置の座標を算出し、その電子データを逐次コンピュータ装置４へ送信する。
【００２９】
［ドットパターン］
続いて、登録用用紙２及び表示用用紙７に印刷されているドットパターン（コード化パターン）について説明する。ドットパターンは、上述のようにカーボンを含むインクによって印刷されている。図２は、各用紙２，７に印刷されたドットパターンのドットとそのドットが変換される値との関係を説明する図である。図２に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、各用紙上の位置座標が決定されるよう構成されている。
【００３０】
図３（ａ）は、あるドットパターンの配列を示している。図３（ａ）に示すように、縦横約２ｍｍの範囲内に６×６個のドットが、用紙２，７上のどの部分から６×６ドットを取ってもユニークなパターンとなるように配置されている。これら３６個のドットにより形成されるドットパターンは位置座標（例えば、そのドットパターンが用紙２，７上のどの位置にあるのか）及び用紙の種類ごとに固有のドットパターンアドレス（コード化パターンアドレス）を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００３１】
［電子ペン］
次に電子ペン１について説明する。図４に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３を登録用用紙２や表示用用紙７に当接させて、マークや文字等を記入する。
【００３２】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により用紙２，７に文字やマークを書いたりタップ（軽叩）したりする際にペン先部１０３からインクカートリッジ１０４を通じて与えられる圧力、即ち筆圧を検出し、その値をプロセッサ１０８へ伝送する。
【００３３】
プロセッサ１０８は、圧力センサ１０７から与えられる筆圧データに基づいて、ＬＥＤ１０５及びＣＭＯＳカメラ１０６のスイッチのオン／オフを切換える。即ち、ユーザが電子ペン１で用紙２，７に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。
【００３４】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、用紙２，７上のペン先部１０３近傍に向けて赤外線を照明する。その領域は、ペン先部１０３が用紙２，７に接触する位置とはわずかにずれている。ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。用紙２，７の枠線やスタンプ１２〜１４の絵柄を印刷したインクは、赤外域に吸収性を持たないため、プロセッサ１０８は、ドットパターンを認識することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。
【００３５】
プロセッサ１０８は、ユーザの記入が行われる間、ＣＭＯＳカメラ１０６によって供給される画像データのドットパターンから、ユーザが記入するストローク（筆跡）の用紙２，７上におけるＸ，Ｙ座標（単に「座標データ」とも呼ぶ）と用紙２，７に固有のドットパターンアドレス（コード化パターンアドレス）とを連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法によりＸ，Ｙ座標データ及びドットパターンアドレスを演算する。そしてプロセッサ１０８は、リアルタイムクロック１１０から発信される現在時刻（タイムスタンプ：記入された時刻情報）、筆圧データ、ドットパターンアドレス及びＸ，Ｙ座標データとを関連付ける。なお、用紙２，７における６×６のドットパターンは、その用紙内で重複することはないため、ユーザが電子ペン１で文字等を記入すると、記入された位置がその用紙のどの位置に当たるかを、プロセッサ１０８による座標演算により特定することができる。
【００３６】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤ（電子ペン識別情報）と、時刻情報（タイムスタンプ）と、筆圧データと、ドットパターンアドレスと、Ｘ，Ｙ座標データとを関連付けて、記入情報としてコンピュータ装置４へ送信する。通信ユニット１１１によるコンピュータ装置４への送信は、Ｂｌｕｅｔｏｏｔｈ（登録商標）の無線送信によって、即時的かつ逐次的に行われる。
【００３７】
［コンピュータ装置］
次に、コンピュータ装置４について説明する。コンピュータ装置４は、ハードウェアとして、電子ペン１とのデータ通信が可能なアンテナ装置、ＣＰＵ等のプロセッサ、ＨＤＤ（Ｈａｒｄ Ｄｉｓｃ Ｄｒｉｖｅ）及びＲＡＭあるいはＳＳＤ（Ｓｏｌｉｄ Ｓｔａｔｅ Ｄｒｉｖｅ）といったメモリ、ディスプレイ、マウスやキーボード等で構成される、パーソナルコンピュータ等で構成される。図５は、コンピュータ装置４の機能ブロック図である。コンピュータ装置４は、機能的には、マウスやキーボードといった入力手段４１、受信手段４２、送信手段４３、表示手段４４、記憶手段４５及び処理手段４６を備える。そして、コンピュータ装置４は、電子ペン１から受信した記入情報に基づいて所定の処理を行う。
【００３８】
受信手段４２は、アンテナ等により構成され、電子ペン１から記入情報を受信し、処理手段４６に伝送する。送信手段４３は、処理手段４６の指示による表示用用紙７の出力命令をプリンター６に送信するもので、プリンター６へのデータ送信方式は、有線式であっても無線式であってもよい。表示手段４４は、ディスプレイ等によって構成され、処理手段４６によって指示された内容を表示する。
【００３９】
記憶手段４５は、予め、登録用用紙２を識別する登録用用紙番号に対し、当該登録用用紙２のユーザエリア２ａや登録指示エリア２ｂの座標領域を登録用用紙情報として記憶している（図６（ａ）参照）。また、記憶手段４５は、予め、表示用用紙７を識別する表示用用紙番号に対し、当該表示用用紙７の表示指示エリア８ｂ〜１０ｂの座標領域を表示用用紙情報として記憶しており、さらに後述する表示用用紙出力処理によってスタンプ番号が割り当てられると表示用用紙情報を更新する（図７参照）。なお、用紙ごとにドットパターンが異なるため、各用紙の各エリアの座標領域はすべて異なる。
【００４０】
また、記憶手段４５は、ＨＤＤ及びＲＡＭあるいはＳＳＤといったメモリによって構成される。記憶手段４５は、電子ペン１から受信した記入情報を一時記憶し、受信手段４２が登録指示エリア２ｂの記入情報を受信すると、一時記憶している記入情報に含まれる対応するユーザエリア２ａのストローク情報とその登録用用紙２を識別する登録用用紙番号とを処理手段４６が対応付けてさらにスタンプ番号を付与した情報を、スタンプ情報として記憶する（図６（ｂ）参照）。ここで、「一時記憶」とは、一時的にＲＡＭなどに記憶しておき、上書き可能な状態で保持していることを示し、「記憶」とは、ＨＤＤなどに正式に記憶し、保存することを示す。
【００４１】
記憶手段４５がＨＤＤ及びＲＡＭで構成される場合、記憶手段４５は、記入情報をＲＡＭに一時記憶し、ＨＤＤに記憶する。記憶手段４５がＳＳＤで構成される場合、ＳＳＤは、記入情報の一時記憶及び記憶の両方を行うことができる。
【００４２】
なお、図８に示すように、登録用用紙２のユーザエリア２ａの座標領域は、特定の角の座標点（Ｘｎ，Ｙｎ）と、Ｘ方向の幅Ｗｎと、Ｙ方向の高さＨｎとによって定義づけられている。同様に、登録用用紙２の登録指示エリア２ｂや表示用用紙７の表示指示エリア８ｂ〜１０ｂの座標領域も、特定の角の座標点（Ｘｎ，Ｙｎ）と、Ｘ方向の幅Ｗｎと、Ｙ方向の高さＨｎとによって定義づけられている。
【００４３】
処理手段４６は、ＣＰＵ等のプロセッサによって構成され、受信手段４２が電子ペン１から受信した記入情報を記憶手段４５に一時記憶させたり、受信手段４２が登録指示エリア２ｂにおける位置座標を含む記入情報を電子ペン１から受信すると、記憶手段４５が一時記憶している記入情報に含まれる対応するユーザエリア２ａのストローク情報とその登録用紙番号とを対応付けてさらにスタンプ番号を付与した情報をスタンプ情報として記憶手段４５に記憶させたり、記憶手段４５が記憶したストロークを印刷する指示を送信手段４３にプリンター６へ送信させたり等の所定の処理を実行する。プリンター６は、送信手段４３から受信したストロークを印刷する指示に従い、表示用用紙７を出力する。
【００４４】
後述するスタンプ表示処理では、処理手段４６は、記入情報のストロークを表示手段４４に表示させたり、受信手段４２が表示指示エリア８ｂ〜１０ｂのいずれかにおける位置座標を含む記入情報を電子ペン１から受信すると、記憶手段４５から対応するスタンプ情報を読み出し、スタンプ情報のストロークを表示手段４４に表示させたり等の所定の処理を実行する。
【００４５】
［スタンプ登録処理］
次に、第１実施形態のスタンプ登録表示システムによるスタンプ登録処理の処理フローを、図９を用いて説明する。図９に示す処理フローは、ユーザが電子ペン１で登録用用紙２のユーザエリア２ａに対し、ストロークを記入するごとに行われる。
【００４６】
図９に示す処理フローについて説明する。ユーザが、登録用用紙２のユーザエリア２ａに対し電子ペン１で記入すると、電子ペン１は、ユーザがユーザエリア２ａに記入した内容のストローク情報とペンＩＤ等を対応付けて記入情報を生成し、コンピュータ装置４に送信する（ステップＳ１０１）。コンピュータ装置４では、受信手段４２が電子ペン１から記入情報を受信すると、処理手段４６は、記憶手段４５に対し、電子ペン１から受信した記入情報をＲＡＭに一時記憶させる（ステップＳ２０１）。次に、処理手段４６は、受信手段４２が登録指示エリア２ｂにおける位置座標を含む記入情報を電子ペン１から受信したか否かを判定する。即ち、処理手段４６は、ユーザが登録指示エリア２ｂに記入したか否かを判定する（ステップＳ２０２）。処理手段４６が、ユーザが登録指示エリア２ｂに記入したと判定した場合（ステップＳ２０２；Ｙｅｓ）、処理手段４６は、記憶手段４５に対し、一時記憶しているユーザエリア２ａ内のストローク情報と、スタンプ番号及び登録用用紙２の用紙番号とを対応付けてスタンプ情報（図６（ｂ）参照）としてＨＤＤに記憶させ（ステップＳ２０３）、登録指示エリア２ｂの記入情報をＲＡＭから消去して処理を終了する。なお、既に当該登録用用紙２に対応するスタンプ情報がＨＤＤに記憶されている場合は、スタンプ情報が更新される。処理手段４６が、ユーザが登録指示エリア２ｂに記入していないと判定した場合（ステップＳ２０２；Ｎｏ）、処理を終了する。
【００４７】
なお、記憶手段４５がＳＳＤで構成される場合、ＳＳＤは、ステップＳ２０１における一時記憶、及び、ステップＳ２０３における記憶のどちらも行うことができる。また、ユーザは、登録指示エリア２ｂに、タップの点や「レ」点等のマークなど、どのようなストロークをしてもよい。また、ユーザが絵柄等を記入したユーザエリア２ａに対応する登録指示エリア２ｂに記入せずに、新たな登録用用紙２のユーザエリア２ａに絵柄等を記入した場合、処理手段４６は、それまで一時記憶していたユーザエリア２ａの記入情報を、新たなユーザエリア２ａの記入情報をＲＡＭに一時記憶させる際に消去することとしても、ユーザがスタンプ登録処理のアプリケーションを終了させたときに消去することとしてもよい。
【００４８】
［表示用用紙出力処理］
次に、第１実施形態のスタンプ登録表示システムによる表示用用紙７への出力処理の処理フローを、図１０を用いて説明する。図１０に示す処理フローは、ユーザがコンピュータ装置４に対し、スタンプ情報を選択するごとに行われる。
【００４９】
図１０に示す処理フローについて説明する。処理手段４６は、記憶手段４５が記憶している複数のスタンプ情報を表示手段４４に表示させる。ユーザが、表示された複数のスタンプ情報の中から任意のスタンプ情報を選択すると、コンピュータ装置４の処理手段４６は、ユーザが選択したスタンプ情報と表示用用紙７における表示指示エリアの座標情報とを対応付けて（ステップＳ３０１）、記憶手段４５が記憶している表示用用紙情報を更新する（図７参照）。そして、スタンプ情報と表示指示エリアの座標情報とに基づいて生成した表示用用紙出力命令を、送信手段４３にプリンター６へ送信させる（ステップＳ３０２）。プリンター６では、コンピュータ装置４から受信した出力命令に基づいて、表示用用紙７（図１参照）を出力し（ステップＳ４０１）、処理を終了する。
【００５０】
［登録形態］
続いて、図１に示すように、ユーザが電子ペン１で登録用用紙２に記入し、コンピュータ装置４が電子ペン１から受信した記入情報に基づいて行うスタンプ登録処理及び表示用用紙出力処理の具体的な例を、図１、図９及び図１０を参照して説明する。
【００５１】
ユーザが登録用用紙２のユーザエリア２ａに対し電子ペン１でストロークを記入すると、電子ペン１は、当該ストロークのストローク情報にペンＩＤ等を対応付けた記入情報を生成し、コンピュータ装置４へ送信する（ステップＳ１０１）。コンピュータ装置４では、受信手段４２が電子ペン１から記入情報を受信すると、処理手段４６は、当該記入情報を記憶手段４５に一時記憶させる（ステップＳ２０１）。このとき、処理手段４６は、記入情報から登録指示エリア２ｂにおける位置座標を認識しないため（ステップＳ２０２：Ｎｏ）、処理を終了する。ユーザがユーザエリア２ａに絵柄３（クマのイラスト）を記入し終えるまで、ストロークを記入するたびに、ステップＳ１０１，Ｓ２０１，Ｓ２０２の処理が繰り返し処理され、ストローク情報が記憶手段４５に一時記憶される。
【００５２】
次に、絵柄３を記入し終えたユーザが登録用用紙２の登録指示エリア２ｂに対し電子ペン１で記入すると、電子ペン１は、登録指示エリア２ｂに記入されたストロークのストローク情報（座標データ）にペンＩＤ等を対応付けた記入情報を生成し、コンピュータ装置４へ送信する（ステップＳ１０１）。コンピュータ装置４では、受信手段４２が記入情報を受信すると、処理手段４６が、記憶手段４５に一時記憶させる（ステップＳ２０１）。そして、処理手段４６は、記入情報から登録指示エリア２ｂにおける位置座標を認識するため（ステップＳ２０２：Ｙｅｓ）、記憶手段４５がこれまで一時記憶してきた記入情報に含まれる絵柄３のストローク情報と、登録用用紙２の用紙番号とを対応付けてさらにスタンプ番号「Ｍ０１」を付与した情報を（図６（ｂ）参照）スタンプ情報として記憶手段４５に記憶させ（ステップＳ２０３）、スタンプ登録処理を終了する。
【００５３】
次に、ユーザが表示用用紙出力のためのアプリケーション画面を表示させる操作を行うと、コンピュータ装置４は、記憶手段４５が記憶している複数のスタンプ情報をディスプレイ（表示手段４４）に表示させる。ユーザが、表示された複数のスタンプ情報の中から、スタンプ番号「Ｍ０１」〜「Ｍ０３」の３つのスタンプ情報（図６（ｂ）参照）を選択すると、処理手段４６は、それらのスタンプ情報と用紙番号「Ｐ０１」の表示用用紙７における表示指示エリア８ｂ〜１０ｂの座標情報とを対応付けて（ステップＳ３０１）、記憶手段４５が記憶している表示用用紙情報を更新する（図７参照）。そして、スタンプ情報と表示指示エリアの座標情報とに基づいて生成した表示用用紙出力命令を、送信手段４３にプリンター６へ送信させる（ステップＳ３０２）。プリンター６は、受信した出力命令に基づいて、スタンプ１２〜１４及び表示指示エリア８ｂ〜１０ｂをスタンプ表示エリア８а〜１０аに配置した表示用用紙７を印刷する（ステップＳ４０１）。例えば、登録用用紙２にユーザが記入したクマのイラストである絵柄３は、スタンプ１２として表示用用紙７のスタンプ表示エリア８ａに印刷される。
【００５４】
なお、例えばユーザが２つのスタンプ情報「Ｍ０１」、「Ｍ０２」のみを選択した場合は、処理手段４６は、表示指示エリア８ｂ、９ｂにそれらのスタンプ情報を割り当てて、スタンプ表示エリア８ａ、９ａにスタンプを印刷した表示用用紙７を出力する。その後、さらに表示用紙出力処理を行う場合、処理手段４６は、用紙番号「Ｐ０１」の表示指示エリア１０ｂに割り当てる１つのスタンプ情報のみをユーザに選択させるようにして、３つのスタンプ表示エリア８ａ〜１０ａにスタンプが配置された用紙番号「Ｐ０１」の表示用用紙７をプリンター６に印刷させるようにしてもよいし、新たに用紙番号「Ｐ０２」の表示用用紙７をプリンター６に印刷させるようにしてもよい。また、１枚の表示用用紙７に印刷するスタンプの数は３つに限らない。
【００５５】
［スタンプ登録表示システムのスタンプ表示時のシステム構成］
第１実施形態におけるスタンプ登録表示システムは、スタンプ表示時には、図１１に示すように、ユーザが使用する電子ペン１と、表示用用紙７と、記入用紙１５と、電子ペン１から記入情報等を受信して処理するコンピュータ装置４とから構成される。なお、コンピュータ装置４のディスプレイ（表示手段４４）には、記入用紙１５の絵柄と同様の画像を表示領域１６に表示する。なお、スタンプ登録時に使用する電子ペンと、スタンプ表示時に使用する電子ペンは同一の電子ペンでなくてもよい。
【００５６】
［記入用紙］
次に、記入用紙１５について説明する。記入用紙１５は、登録用用紙２や表示用用紙７と同様に、ドットパターンが印刷された紙で構成されている。記入用紙１５にはユーザがメモを記入するエリアが設けられており、その座標領域が用紙２，７と同様に記憶手段４５に予め記憶されている。さらに、記憶手段４５は、表示手段４４に表示するための記入用紙１５の絵柄の画像情報を記憶している。ユーザが電子ペン１によって記入用紙１５上に文字などを書くと、電子ペン１は、ペン先部の移動軌跡に沿って、記入用紙１５に印刷されたドットパターンを局所的、連続的に読み取り、記入用紙１５におけるその局所位置の座標を算出し、その電子データを逐次コンピュータ装置４へ送信する。
【００５７】
［スタンプ表示処理］
次に、第１実施形態のスタンプ登録表示システムによるスタンプ表示処理の処理フローを、図１２を用いて説明する。図１２に示す処理フローは、ユーザが電子ペン１で記入用紙１５及び表示用用紙７に対し、ストロークを記入するごとに行われる。
【００５８】
図１２に示す処理フローについて説明する。ユーザが、記入用紙１５又は表示用用紙７に対し電子ペン１で記入すると、電子ペン１は、ユーザが記入用紙１５又は表示用用紙７に記入した内容のストローク情報とペンＩＤ等を対応付けて記入情報を生成し、コンピュータ装置４に送信する（ステップＳ５０１）。コンピュータ装置４では、受信手段４２が電子ペン１から記入情報を受信すると、処理手段４６は、記憶手段４５に対し、電子ペン１から受信した記入情報をＲＡＭに一時記憶させる（ステップＳ６０１）。次に、処理手段４６は、受信手段４２が表示指示エリア８ｂ〜１０ｂのいずれかにおける位置座標を含む記入情報を電子ペン１から受信したか否かを判定する。即ち、処理手段４６は、ユーザが表示指示エリア８ｂ〜１０ｂのいずれかに記入したか否かを判定する（ステップＳ６０２）。処理手段４６が、ユーザが表示指示エリア８ｂ〜１０ｂのいずれかに記入したと判定した場合（ステップＳ６０２；Ｙｅｓ）、処理手段４６は、当該表示指示エリアに対応するスタンプ情報を記憶手段４５に対しＨＤＤから読み出してＲＡＭに一時記憶させ（ステップＳ６０３）、処理を終了する。
【００５９】
一方、ステップＳ６０２で、処理手段４６が、ユーザが表示指示エリア８ｂ〜１０ｂのいずれかに記入していないと判定した場合（ステップＳ６０２；Ｎｏ）、処理手段４６は、スタンプ情報が読み出されているか否かを判定する（ステップＳ６０４）。スタンプ情報が読み出されている場合（ステップＳ６０４；Ｙｅｓ）、処理手段４６は、表示手段４４に対し、表示領域１６に表示している記入用紙１５の画像の、ステップＳ６０１で一時記憶している記入情報の位置座標に対応する位置に当該スタンプのストローク情報を表示させる（ステップＳ６０５）。このとき、処理手段４６は、記入用紙１５の対応する位置に表示するように位置座標データを変換した当該スタンプのストローク情報を、記入用紙１５に関する記入情報として、記憶手段４５に対しＨＤＤに記憶させる。そして、処理手段４６は、一時記憶しているスタンプ情報及び記入情報をＲＡＭから消去し（ステップＳ６０６）、処理を終了する。なお、一時記憶している記入情報は、ユーザがスタンプ情報の挿入位置を指示するタップであるため、通常、スタンプが表示される領域の方が大きくなる。そこで、処理手段４６は、スタンプ情報の重心点を演算し、演算した重心点の位置座標を当該記入情報の位置座標に対応させように位置座標データの変換演算を行って、表示領域１６にスタンプ情報を表示させることとする。スタンプ情報の重心点の演算は、表示処理ごとに行うようにしても、予めスタンプ情報の一部として記憶手段４５に記憶しておくようにしてもよい。
【００６０】
一方、ステップＳ６０４で、処理手段４６が、スタンプ情報が読み出されていないと判定した場合（ステップＳ６０４；Ｎｏ）、処理手段４６は、記憶手段４５に対し、ステップＳ６０１で一時記憶している記入情報を記入用紙１５の記入情報としてＨＤＤに記憶させてＲＡＭからは消去し、表示手段４４に対し、表示領域１６に表示している記入用紙１５の画像の対応する位置に当該記入情報に含まれるストローク情報を表示させて（ステップＳ６０７）、処理を終了する。
【００６１】
なお、記憶手段４５がＳＳＤで構成される場合、ＳＳＤは、ステップＳ６０１及びステップＳ６０３における一時記憶、及び、ステップＳ６０７における記憶のどちらも行うことができる。
【００６２】
［表示形態］
続いて、図１１に示すようにユーザが電子ペン１で記入用紙１５に記入し、コンピュータ装置４が電子ペン１から受信した記入情報に基づいて行うスタンプ表示処理の具体的な例を、図１１及び図１２を参照して説明する。
【００６３】
ユーザが記入用紙１５に対し電子ペン１で「Please TEL me!」などのメッセージＥ１を記入すると、電子ペン１は、メッセージＥ１のストローク情報にペンＩＤ等を対応付けた記入情報を、コンピュータ装置４へ送信する（ステップＳ５０１）。コンピュータ装置４では、受信手段４２が電子ペン１から記入情報を受信すると、処理手段４６は、記入情報をＲＡＭに一時記憶させる（ステップＳ６０１）。このとき、処理手段４６は、記入情報から表示指示エリアにおける位置座標を認識せず（ステップＳ６０２：Ｎｏ）、スタンプ情報も読み出されていないため（ステップＳ６０４：Ｎｏ）、表示手段４４に対し、表示領域１６に表示している記入用紙１５の画像上の対応する位置にメッセージＥ１のストローク情報を表示させるとともにメッセージＥ１の記入情報をＨＤＤに記憶させてＲＡＭからは消去する（ステップＳ６０７）。
【００６４】
次に、ユーザが表示用用紙７のスタンプ１２の表示指示エリア８ｂに対し電子ペン１でチェックＥ２を記入すると、電子ペン１は、チェックＥ２のストローク情報にペンＩＤ等を対応付けた記入情報を、コンピュータ装置４へ送信する（ステップＳ５０１）。コンピュータ装置４では、受信手段４２が電子ペン１から記入情報を受信すると、処理手段４６は、記入情報を記憶手段４５に一時記憶させる（ステップＳ６０１）。このとき、処理手段４６は、記入情報から表示指示エリア８ｂにおける位置座標を認識するため（ステップＳ６０２：Ｙｅｓ）、表示用用紙情報（図７参照）及び登録用用紙情報（図６（ａ）参照）を参照して、スタンプ１２に対応するスタンプ番号「Ｍ０１」のスタンプ情報をＨＤＤから読み出してＲＡＭに一時記憶する（ステップＳ６０３）。
【００６５】
続いて、ユーザが記入用紙１５上でスタンプ１２を表示させたい位置に電子ペン１でタップＥ３を記入すると、電子ペン１は、タップＥ３のストローク情報にペンＩＤ等を対応付けた記入情報を、コンピュータ装置４へ送信する（ステップＳ５０１）。コンピュータ装置４では、受信手段４２が電子ペン１から記入情報を受信すると、処理手段４６は、記入情報を記憶手段４５に一時記憶させる（ステップＳ６０１）。このとき、処理手段４６は、記入情報から表示指示エリアにおける位置座標を認識せず（ステップＳ６０２：Ｎｏ）、かつ、スタンプ情報がＲＡＭに読み出されているため（ステップＳ６０４：Ｙｅｓ）、表示手段４４に対し、表示領域１６に表示している記入用紙１５の画像上でタップＥ３に対応する位置にスタンプ１２ａを表示させる（ステップＳ６０５）。このとき、処理手段４６は、記入用紙１５のタップＥ３に対応する位置に表示するよう位置座標データを変換したスタンプ１２ａのストローク情報を、記入用紙１５に関する記入情報としてＨＤＤに記憶させる。そして、処理手段４６は、スタンプ１２に対応するスタンプ情報及びタップＥ３に対応する記入情報を一時記憶しているＲＡＭから消去する（ステップＳ６０６）。
【００６６】
さらに、ユーザが表示用用紙７の表示指示エリア８ｂに対し電子ペン１で２つ目のチェックＥ４を記入すると、電子ペン１は、チェックＥ４のストローク情報にペンＩＤ等を対応付けた記入情報を、コンピュータ装置４へ送信する（ステップＳ５０１）。コンピュータ装置４では、受信手段４２が電子ペン１から記入情報を受信すると、処理手段４６は、記入情報を記憶手段４５に一時記憶させる（ステップＳ６０１）。このとき、処理手段４６は、記入情報から表示指示エリア８ｂにおける位置座標を認識するため（ステップＳ６０２：Ｙｅｓ）、スタンプ１２に対応するスタンプ番号「Ｍ０１」のスタンプ情報を読み出してＲＡＭに一時記憶する（ステップＳ６０３）。
【００６７】
続いて、ユーザが記入用紙１５上で２つ目のスタンプ１２を表示させたい位置に電子ペン１でタップＥ５を記入すると、電子ペン１は、タップＥ５のストローク情報にペンＩＤ等を対応付けた記入情報を、コンピュータ装置４へ送信する（ステップＳ５０１）。コンピュータ装置４では、受信手段４２が電子ペン１から記入情報を受信すると、処理手段４６は、記入情報をＲＡＭに一時記憶させる（ステップＳ６０１）。このとき、処理手段４６は、記入情報から表示指示エリアにおける位置座標を認識せず（ステップＳ６０２：Ｎｏ）、かつ、スタンプ情報がＲＡＭに読み出されているため（ステップＳ６０４：Ｙｅｓ）、表示手段４４に対し、表示領域１６に表示している記入用紙１５上のタップＥ５に対応する位置にスタンプ１２ｂを表示させる（ステップＳ６０５）。このとき、処理手段４６は、記入用紙１５のタップＥ５に対応する位置に表示するよう位置座標データを変換したスタンプ１２ｂのストローク情報を、記入用紙１５に関する記入情報としてＨＤＤに記憶させる。そして、処理手段４６は、スタンプ１２に対応するスタンプ情報及びタップＥ５に対応する記入情報を一時記憶しているＲＡＭから消去する（ステップＳ６０６）。
【００６８】
さらに、ユーザが記入用紙１５に対し電子ペン１で署名Ｅ６を記入すると、電子ペン１は、署名Ｅ６のストローク情報にペンＩＤ等を対応付けた記入情報を、コンピュータ装置４へ送信する（ステップＳ５０１）。コンピュータ装置４では、受信手段４２が電子ペン１から記入情報を受信すると、処理手段４６は、記入情報を記憶手段４５に一時記憶させる（ステップＳ６０１）。このとき、処理手段４６は、記入情報から表示指示エリアにおける位置座標を認識せず（ステップＳ６０２：Ｎｏ）、スタンプ情報もＲＡＭに読み出されていないため（ステップＳ６０４：Ｎｏ）、表示手段４４に対し、表示領域１６に表示している記入用紙１５の画像の対応する位置に署名Ｅ６を表示させる（ステップＳ６０７）。
【００６９】
［第１実施形態のスタンプ登録表示システムによる作用効果］
第１実施形態では、ユーザが電子ペン１で登録用用紙２のユーザエリア２ａに記入したストロークを、ユーザは、記入用紙１５に対応する表示領域１６の任意の位置に複製して表示することができる。これにより、ユーザは、繰り返し利用したい記入データを、再度記入することなく複製利用することができ、利便性及び効率性が向上する。また、以前に利用していたストロークに書き加えて新しい絵柄等にしたいとき、新規で記入しなくても、以前のデータに追記することで絵柄等を改変することができる。また、ユーザが登録用用紙２のユーザエリア２ａに絵柄等のストロークを書き間違えた場合には、コンピュータ装置４に一時記憶された状態で保存させないようにすることができ、別の登録用用紙２のユーザエリア２ａに絵柄等を書き込めばよい。
【００７０】
＜第２実施形態＞
次に第２実施形態について説明する。第２実施形態と第１実施形態とが同様の部分については同じ符号を付し、適宜説明を省略する。第２実施形態では第１実施形態の登録用用紙２及び表示用用紙７を兼用する登録兼表示指示用用紙２０を用いる。なお、記入情報やスタンプ情報等の一時記憶にＲＡＭを、記憶（保存）にＨＤＤを用いるが、記憶手段４５をＳＳＤで構成して、一時記憶と記憶（保存）に同じＳＳＤを用いても良い。
【００７１】
［スタンプ登録表示システムのスタンプ登録時及び表示時のシステム構成］
第２実施形態におけるスタンプ登録表示システムは、スタンプ登録時には、図１３に示すように、ユーザが使用する電子ペン１と、登録兼表示指示用用紙２０と、電子ペン１から記入情報等を受信して処理するコンピュータ装置４とから構成される。また、第２実施形態におけるスタンプ登録表示システムは、スタンプ表示時には、図１４に示すように、ユーザが使用する電子ペン１と、登録兼表示指示用用紙２０と、記入用紙１５と、電子ペン１から記入情報等を受信して処理するコンピュータ装置４とから構成される。
【００７２】
なお、ここでは便宜上、スタンプ登録時とスタンプ表示時のシステム構成を別々の図で説明したが、第２実施形態では、スタンプ表示時に新しくスタンプを登録することも可能である。また、登録兼表示指示用用紙２０と記入用紙１５とは異なるドットパターンが印刷され異なるドットパターンアドレスを保持しているため、コンピュータ装置４は各用紙を識別することができ、ディスプレイ（表示手段４４）の表示領域１６は、登録兼表示指示用用紙２０及び記入用紙１５を両方同時に表示、又は切り替え表示することができる。記憶手段４５は、登録兼表示指示用用紙２０絵柄の画像情報を記憶している。
【００７３】
［登録兼表示指示用用紙］
ここで、登録兼表示指示用用紙２０について説明する。登録兼表示指示用用紙２０は、第１実施形態における登録用用紙２及び表示用用紙７と同様に、ドットパターンが印刷された紙で構成され、さらにその上に、ユーザが所望の絵柄等を構成するストロークを電子ペン１で記入するためのユーザエリア２０ａと、ユーザエリア２０ａに記入されたストロークの登録指示を電子ペン１から送信させるための登録指示エリア２０ｂと、ユーザエリア２０ａに記入されたストロークの表示指示を電子ペン１から送信させるための表示指示エリア２０ｃとが構成されている。即ち、登録兼表示指示用用紙２０は、第１実施形態の登録用用紙２と表示用用紙７とを兼用している。また、第１実施形態の表示用用紙７の場合と相違し、１枚の登録兼表示指示用用紙２０には１つのスタンプ情報が対応するため、スタンプ番号を割り付ける必要がないため、第２実施形態のスタンプ情報では第１実施形態のスタンプ情報のようなスタンプ番号を付与しなくてもよく、登録兼表示指示用用紙２０の用紙番号をスタンプ番号として利用できる。
【００７４】
［スタンプ登録表示処理］
次に、第２実施形態のスタンプ登録表示システムによるスタンプ登録表示処理の処理フローを、図１５を用いて説明する。図１５に示す処理フローは、ユーザが電子ペン１で登録兼表示指示用用紙２０及び記入用紙１５に対し、ストロークを記入するごとに行われる。なお、第２実施形態のスタンプ登録表示処理におけるスタンプ登録処理部分及びスタンプ表示処理部分は、それぞれ第１実施形態と同様である。
【００７５】
図１５に示す処理フローについて説明する。ユーザが、登録兼表示指示用用紙２０又は記入用紙１５に対し電子ペン１で記入すると、電子ペン１は、ユーザが記入した内容のストローク情報とペンＩＤ等を対応付けて記入情報を生成し、コンピュータ装置４に送信する（ステップＳ７０１）。コンピュータ装置４では、受信手段４２が電子ペン１から記入情報を受信すると、処理手段４６は、記憶手段４５に対し、電子ペン１から受信した記入情報をＲＡＭに一時記憶させる（ステップＳ８０１）。次に、処理手段４６は、受信手段４２がユーザエリア２０ａにおける位置座標を含む記入情報を電子ペン１から受信したか否かを判定する。即ち、処理手段４６は、ユーザがユーザエリア２０ａに記入したか否かを判定する（ステップＳ８０２）。処理手段４６は、ユーザがユーザエリア２０ａに記入したと判定した場合（ステップＳ８０２；Ｙｅｓ）、処理を終了する。
【００７６】
一方、処理手段４６が、ユーザがユーザエリア２０ａに記入していないと判定した場合（ステップＳ８０２；Ｎｏ）、処理手段４６は、続いて、登録指示エリア２０ｂにおける位置座標を含む記入情報を電子ペン１から受信したか否かを判定する。即ち、処理手段４６は、ユーザが登録指示エリア２０ｂに記入したか否かを判定する（ステップＳ８０３）。処理手段４６が、ユーザが登録指示エリア２０ｂに記入したと判定した場合（ステップＳ８０３；Ｙｅｓ）、処理手段４６は、記憶手段４５に対し、一時記憶しているユーザエリア２０ａ内のストローク情報と登録兼表示指示用用紙２０の用紙番号とを対応付けてスタンプ情報としてＨＤＤに記憶させ（ステップＳ８０４）、登録指示エリア２０ｂの記入情報をＲＡＭから消去して処理を終了する。なお、既に当該登録兼表示指示用用紙２０に対応するスタンプ情報がＨＤＤに記憶されている場合は、スタンプ情報が更新される。
【００７７】
一方、ステップＳ８０３で、処理手段４６が、ユーザが登録指示エリア２０ｂに記入していないと判定した場合（ステップＳ８０３；Ｎｏ）、処理手段４６は、受信手段４２が表示指示エリア２０ｃにおける位置座標を含む記入情報を電子ペン１から受信したか否かを判定する。即ち、処理手段４６は、ユーザが表示指示エリア２０ｃに記入したか否かを判定する（ステップＳ８０５）。処理手段４６が、ユーザが表示指示エリア２０ｃに記入したと判定した場合（ステップＳ８０５；Ｙｅｓ）、処理手段４６は、当該表示指示エリア２０ｃに対応するスタンプ情報（登録兼表示指示用用紙２０の用紙番号に対応付けられたスタンプ情報）を記憶手段４５から読み出してＲＡＭに一時記憶させ（ステップＳ８０６）、処理を終了する。処理手段４６が、ユーザが表示指示エリア２０ｃに記入していないと判定した場合（ステップＳ８０５；Ｎｏ）、処理手段４６は、スタンプ情報がＲＡＭに読み出されているか否かを判定する（ステップＳ８０７）。スタンプ情報がＲＡＭに読み出されている場合（ステップＳ８０７；Ｙｅｓ）、処理手段４６は、表示手段４４に対し、表示領域１６に表示している記入用紙１５の画像上の、ステップＳ８０１で一時記憶している記入情報の位置座標に対応する位置に当該スタンプ情報を表示させる（ステップＳ８０８）。このとき、処理手段４６は、記入用紙１５の対応する位置に表示するよう位置座標データを変換したスタンプのストローク情報を、記入用紙１５に関する記入情報として、記憶手段４５に対しＨＤＤに記憶させる。そして、処理手段４６は、一時記憶しているスタンプ情報及び記入情報をＲＡＭから消去し（ステップＳ８０９）、処理を終了する。なお、第１実施形態と同様に、処理手段４６は、スタンプ情報の重心点を演算してその位置座標を一時記憶している記入情報の位置座標に対応させるように位置座標データの変換演算を行って、表示領域１６にスタンプ情報を表示させる。
【００７８】
一方、スタンプ情報がＲＡＭに読み出されていない場合（ステップＳ８０７；Ｎｏ）、処理手段４６は、記憶手段４５に対し、一時記憶している記入情報を対応する用紙の記入情報としてＨＤＤに記憶させ、表示手段４４の表示領域１６に対し、対応する用紙のユーザが記入した座標に当該記入情報に含まれるストローク情報を表示させて（ステップＳ８１０）、処理を終了する。
【００７９】
なお、記憶手段４５がＳＳＤで構成される場合、ＳＳＤは、ステップＳ８０１及びステップＳ８０６における一時記憶とステップＳ８０４及びステップＳ８１０における記憶とのどちらも行うことができる。
【００８０】
［登録表示形態］
続いて、図１３及び図１４に示すようにユーザが電子ペン１で登録兼表示指示用用紙２０に記入し、コンピュータ装置４が電子ペン１から受信した記入情報に基づいて行うスタンプ登録表示処理の実際の例を、図１５を参照して説明する。なお、図１４は、ディスプレイ（表示手段４４）の表示領域１６に、登録兼表示指示用用紙２０及び記入用紙１５の両方を表示する場合の例である。
【００８１】
図１３のように、ユーザが登録兼表示指示用用紙２０のユーザエリア２０ａに対し電子ペン１で絵柄３のストロークを記入すると、電子ペン１は、ストローク情報にペンＩＤ等を対応付けた記入情報を生成し、コンピュータ装置４へ送信する（ステップＳ７０１）。コンピュータ装置４では、受信手段４２が電子ペン１から記入情報を受信すると、処理手段４６は、記入情報をＲＡＭに一時記憶させる（ステップＳ８０１）。このとき、処理手段４６は、記入情報からユーザエリア２０ａにおける位置座標を認識するため（ステップＳ８０２：Ｙｅｓ）、処理を終了する。ユーザがユーザエリア２０ａに絵柄３（クマのイラスト）を記入し終えるまで、ストロークを記入するたびに、ステップＳ７０１，Ｓ８０１，Ｓ８０２(Ｙｅｓ)の処理が繰り返し処理され、ストローク情報がＲＡＭに一時記憶される。
【００８２】
次に、絵柄３を記入し終えたユーザが登録兼表示指示用用紙２０の登録指示エリア２０ｂに対し電子ペン１で記入すると、電子ペン１は、登録指示エリア２０ｂに記入されたストロークのストローク情報（座標データ）にペンＩＤ等を対応付けた記入情報を生成し、コンピュータ装置４へ送信する（ステップＳ７０１）。コンピュータ装置４では、受信手段４２が記入情報を受信すると、処理手段４６が、ＲＡＭに一時記憶させる（ステップＳ８０１）。このとき、処理手段４６は、記入情報からユーザエリア２０ａにおける位置座標を認識せず（ステップＳ８０２：Ｎｏ）、登録指示エリア２０ｂにおける位置座標を認識するため（ステップＳ８０３：Ｙｅｓ）、これまでＲＡＭで一時記憶してきたユーザエリア２０ａの記入情報に含まれるストローク情報と登録兼表示指示用用紙２０の用紙番号とを対応付けてスタンプ情報としてＨＤＤに記憶させる（ステップＳ８０４）。
【００８３】
続いて、図１４のように、ユーザが記入用紙１５に対し電子ペン１でメッセージＥ１を記入すると、電子ペン１は、メッセージＥ１のストローク情報にペンＩＤ等を対応付けた記入情報を、コンピュータ装置４へ送信する（ステップＳ７０１）。コンピュータ装置４では、受信手段４２が電子ペン１から記入情報を受信すると、処理手段４６は、記入情報をＲＡＭに一時記憶させる（ステップＳ８０１）。このとき、処理手段４６は、記入情報からユーザエリア２０ａにおける位置座標を認識せず（ステップＳ８０２：Ｎｏ）、登録指示エリア２０ｂにおける位置座標も認識せず（ステップＳ８０３：Ｎｏ）、表示指示エリア２０ｃにおける位置座標も認識せず（ステップＳ８０５：Ｎｏ）、スタンプ情報も読み出されていないため（ステップＳ８０７：Ｎｏ）、一時記憶しているメッセージＥ１の記入情報を記憶手段４５に記憶させるとともに、表示手段４４に対し、表示領域１６に表示している記入用紙１５の画像上の対応する位置にメッセージＥ１のストローク情報を表示させる（ステップＳ８１０）。
【００８４】
次に、ユーザが登録兼表示指示用用紙２０の表示指示エリア２０ｃに対し電子ペン１でチェックＥ２を記入すると、電子ペン１は、チェックＥ２のストローク情報にペンＩＤ等を対応付けた記入情報を、コンピュータ装置４へ送信する（ステップＳ７０１）。コンピュータ装置４では、受信手段４２が電子ペン１から記入情報を受信すると、処理手段４６は、記入情報をＲＡＭに一時記憶させる（ステップＳ８０１）。このとき、処理手段４６は、記入情報からユーザエリア２０ａにおける位置座標を認識せず（ステップＳ８０２：Ｎｏ）、登録指示エリア２０ｂにおける位置座標も認識せず（ステップＳ８０３：Ｎｏ）、表示指示エリア２０ｃにおける位置座標を認識するため（ステップＳ８０５：Ｙｅｓ）、登録兼表示指示用用紙２０の用紙番号に対応付けられた、絵柄３のスタンプ情報を記憶手段４５から読み出してＲＡＭに一時記憶する（ステップＳ８０６）。
【００８５】
次に、ユーザが記入用紙１５上で絵柄３のスタンプを表示させたい位置に電子ペン１でタップＥ３を記入すると、電子ペン１は、タップＥ３のストローク情報にペンＩＤ等を対応付けた記入情報を、コンピュータ装置４へ送信する（ステップＳ７０１）。コンピュータ装置４では、受信手段４２が電子ペン１から記入情報を受信すると、処理手段４６は、記入情報をＲＡＭに一時記憶させる（ステップＳ８０１）。このとき、処理手段４６は、記入情報からユーザエリア２０ａにおける位置座標を認識せず（ステップＳ８０２：Ｎｏ）、登録指示エリア２０ｂにおける位置座標も認識せず（ステップＳ８０３：Ｎｏ）、表示指示エリア２０ｃにおける位置座標も認識しないが（ステップＳ８０５：Ｎｏ）、スタンプ情報がＲＡＭに読み出されている状態であるため（ステップＳ８０７：Ｙｅｓ）、表示手段４４に対し、表示領域１６に表示している記入用紙１５の画像上のタップＥ３に対応する位置にスタンプ１２ａを表示させる（ステップＳ８０８）。このとき、処理手段４６は、記入用紙１５のタップＥ３に対応する位置に表示するよう位置座標データを変換したスタンプ１２ａのストローク情報を、記入用紙１５に関する記入情報として、記憶手段４５に対しＨＤＤに記憶させる。そして、処理手段４６は、絵柄３に対応するスタンプ情報を一時記憶しているＲＡＭから消去する（ステップＳ８０９）。
【００８６】
さらに、ユーザが登録兼表示指示用用紙２０の表示指示エリア２０ｃに対し電子ペン１で２つ目のチェックＥ４を記入すると、電子ペン１は、チェックＥ４のストローク情報にペンＩＤ等を対応付けた記入情報を、コンピュータ装置４へ送信する（ステップＳ７０１）。コンピュータ装置４では、受信手段４２が電子ペン１から記入情報を受信すると、処理手段４６は、記入情報をＲＡＭに一時記憶させる（ステップＳ８０１）。このとき、処理手段４６は、記入情報からユーザエリア２０ａにおける位置座標を認識せず（ステップＳ８０２：Ｎｏ）、登録指示エリア２０ｂにおける位置座標も認識せず（ステップＳ８０３：Ｎｏ）、表示指示エリア２０ｃにおける位置座標を認識するため（ステップＳ８０５：Ｙｅｓ）、登録兼表示指示用用紙２０の用紙番号に対応付けられた、絵柄３のスタンプ情報をＨＤＤから読み出してＲＡＭに一時記憶する（ステップＳ８０６）。
【００８７】
次に、ユーザが記入用紙１５上で２つ目の絵柄３のスタンプを表示させたい位置に電子ペン１でタップＥ５を記入すると、電子ペン１は、タップＥ５のストローク情報にペンＩＤ等を対応付けた記入情報を、コンピュータ装置４へ送信する（ステップＳ７０１）。コンピュータ装置４では、受信手段４２が電子ペン１から記入情報を受信すると、処理手段４６は、記入情報をＲＡＭに一時記憶させる（ステップＳ８０１）。このとき、処理手段４６は、記入情報からユーザエリア２０ａにおける位置座標を認識せず（ステップＳ８０２：Ｎｏ）、登録指示エリア２０ｂにおける位置座標も認識せず（ステップＳ８０３：Ｎｏ）、表示指示エリア２０ｃにおける位置座標も認識しないが（ステップＳ８０５：Ｎｏ）、スタンプ情報がＲＡＭに読み出されている状態であるため（ステップＳ８０７：Ｙｅｓ）、表示手段４４に対し、表示領域１６の記入用紙１５上のタップＥ５に対応する位置にスタンプ１２ｂを表示させる（ステップＳ８０８）。このとき、処理手段４６は、記入用紙１５のタップＥ５に対応する位置に表示するよう位置座標データを変換したスタンプ１２ｂのストローク情報を、記入用紙１５に関する記入情報として、記憶手段４５に対しＨＤＤに記憶させる。そして、処理手段４６は、絵柄３に対応するスタンプ情報を一時記憶しているＲＡＭから消去する（ステップＳ８０９）。
【００８８】
さらに、ユーザが記入用紙１５に対し電子ペン１で署名Ｅ６を記入すると、電子ペン１は、署名Ｅ６のストローク情報にペンＩＤ等を対応付けた記入情報を、コンピュータ装置４へ送信する（ステップＳ７０１）。コンピュータ装置４では、受信手段４２が電子ペン１から記入情報を受信すると、処理手段４６は、記入情報をＲＡＭに一時記憶させる（ステップＳ８０１）。このとき、処理手段４６は、記入情報からユーザエリア２０ａにおける位置座標を認識せず（ステップＳ８０２：Ｎｏ）、登録指示エリア２０ｂにおける位置座標も認識せず（ステップＳ８０３：Ｎｏ）、表示指示エリア２０ｃにおける位置座標も認識せず（ステップＳ８０５：Ｎｏ）、スタンプ情報もＲＡＭに読み出されていないため（ステップＳ８０６：Ｎｏ）、表示手段４４に対し、表示領域１６に表示している記入用紙１５の画像の対応する位置に署名Ｅ６を表示させる（ステップＳ８１０）。
【００８９】
［第２実施形態のスタンプ登録表示システムによる作用効果］
第２実施形態では、第１実施形態で使用した登録用用紙２及び表示用用紙７を登録兼表示指示用用紙２０が兼用しているので、第１実施形態で使用した、表示用用紙７を出力するプリンターが不要となる。また、スタンプ登録処理及びスタンプ表示処理が一連の処理となっているため、ユーザは記入用紙１５に記入している途中に、既存のスタンプを編集したり、新たにスタンプを登録したりすることができる。
【００９０】
［変形例］
上記の第１，第２実施形態では、コンピュータ装置４の処理手段４６は、電子ペン１から逐次送信され受信手段４２が受信した記入情報を記憶手段４５（ＲＡＭ）に一時記憶させ、受信した当該記入情報が登録指示エリア２ｂ，２０ｂの記入情報であると認識すると、一時記憶している記入情報をスタンプ情報として記憶手段４５（ＨＤＤ）に記憶させることとしていたが、本発明の適用はこれに限られない。例えば、電子ペン１は、生成した記入情報を電子ペン１内のメモリ１０９に記憶し、登録指示エリア２ｂ，２０ｂの記入情報を生成すると、メモリ１０９に記憶していた記入情報をコンピュータ装置４に送信することとしてもよい。あるいは、登録用用紙２や登録兼表示指示用用紙２０に登録指示エリアを設けず、処理手段４６は、電子ペン１から逐次送信される記入情報を受信手段４２が受信した時点で、随時、スタンプ情報として記憶手段４５に記憶させるようにしてもよい。
【００９１】
また、上記の第１実施形態では、登録用用紙２には、全面にドットパターンが印刷されているが、本発明の適用はこれに限られず、ユーザエリア２ａ及び登録指示エリア２ｂだけにドットパターンが印刷されるようにしてもよい。同様に、表示用用紙７には、全面にドットパターンが印刷されているが、表示指示エリア８ｂ、９ｂ、１０ｂだけに、ドットパターンが印刷されるようにしてもよい。さらに、上記の第２実施形態では、登録兼表示指示用用紙２０には、全面にドットパターンが印刷されているが、ユーザエリア２０ａ、登録指示エリア２０ｂ及び表示指示エリア２０ｃだけに、ドットパターンが印刷されるようにしてもよい。
【００９２】
上記の第１，第２実施形態では、スタンプの色について言及していないが、ユーザが指定した色でスタンプを表示するようにしても良い。色の指定は、スタンプ情報を記憶する際に当該スタンプ情報に対してデフォルト表示色を対応付けて記憶することとしてもよいし、デフォルト表示色とは異なる色に変えたい場合は、ユーザが表示用用紙７の表示指示エリアに記入する際に色を指定できることとしてもよい。
【００９３】
また、上記第１，第２実施形態では、スタンプ表示処理のステップＳ６０５及びスタンプ登録表示処理のステップＳ８０８において、ユーザが記入用紙１５上で記入した位置の位置座標に対応する表示領域１６に表示している記入用紙１５の画像上の位置に当該スタンプ情報を表示させることとしており、スタンプ情報の読み出しを指示したユーザが続けて記入用紙１５上をタップすることで、スタンプ情報を表示させたい位置を指定することを前提としていたが、本発明の適用はこれに限られない。スタンプ表示処理のステップＳ６０５及びスタンプ登録表示処理のステップＳ８０８の前に受信した記入情報がタップであるか否かを判定する処理を入れてもよい。この場合、受信した記入情報がタップでない場合、スタンプ表示処理ではステップＳ６０７を実行して処理を終了することとし、スタンプ登録表示処理ではステップＳ８１０を実行して処理を終了することとする。そして、タップの記入情報を受信するまではスタンプ情報をＲＡＭに読み出したままにしておき、受信した記入情報がタップであると判定すると、スタンプ表示処理ではステップＳ６０５，Ｓ６０６を実行して処理を終了し、スタンプ登録表示処理ではステップＳ８０８，Ｓ８０９を実行して処理を終了する。なお記入情報がタップであるか否かの判定は、ストロークの時間又は長さが所定の範囲内であるか否かで判定する。
【００９４】
あるいは、ユーザが記入用紙１５上をタップしてスタンプ情報を表示させたい位置を指定してから、表示指示エリア８ｂ〜１０ｂ、２０ｃに記入して当該位置に表示させるスタンプを指定するようにしてもよい。この場合、スタンプ表示処理のステップＳ６０２及びスタンプ登録表示処理のステップＳ８０５がＹｅｓの場合に、直前のストロークの位置座標にスタンプ情報を表示し、ステップＳ６０２及びＳ８０５がＮｏの場合に、ステップＳ６０１及びＳ８０１で一時記憶したストローク情報を記入情報として記憶するとともに表示領域に表示することとすればよい。さらに、ステップＳ６０２及びＳ８０５の前に受信した記入情報がタップであるか否かを判定する処理を入れてもよい。
【００９５】
上記の第１，第２実施形態では、スタンプ情報の挿入位置を指示するためにユーザが記入用紙１５にタップを記入することとしていたが、本発明の適用はこれに限られず、ユーザは、タップに代わり「○」などのマークを記入することとしてもよい。この場合、処理手段４６は、一時記憶している当該「○」などのマークの記入情報の重心点を演算して、スタンプ情報の重心点と対応させて、表示手段１６の該当する位置座標にスタンプ情報を表示することとする。また、処理手段４６は、スタンプ情報の重心点を演算する代わりに、スタンプ情報のうちＸ座標データあるいはＹ座標データが最小値あるいは最大値の位置座標と、挿入位置を指示するタップなどの位置座標とを対応させて、表示手段１６の該当する位置座標にスタンプ情報を表示することとしてもよい。
【００９６】
上記第１，２実施形態では、記入用紙１５は、メモ帳の場合を例としたが、これに限らず、添削する解答用紙、研修・会議資料、学校教材、リサーチ業務用紙、クイズ番組などのモニタ表示用解答用紙、手紙作成用用紙など種々適用できる。
【符号の説明】
【００９７】
１…電子ペン
２…登録用用紙
２ａ，２０ａ…ユーザエリア
２ｂ，２０ｂ…登録指示エリア
３…絵柄
４…コンピュータ装置
６…プリンター
７…表示用用紙
８ｂ，９ｂ，１０ｂ，２０ｃ…表示指示エリア
１２，１３，１４…スタンプ
１５…記入用紙
１６…表示領域
２０…登録兼表示指示用用紙
４１…入力手段
４２…受信手段
４３…送信手段
４４…表示手段
４５…記憶手段
４６…処理手段
【図１】
2010244391.tif 000003
【図２】
2010244391.tif 000004
【図３】
2010244391.tif 000005
【図４】
2010244391.tif 000006
【図５】
2010244391.tif 000007
【図６】
2010244391.tif 000008
【図７】
2010244391.tif 000009
【図８】
2010244391.tif 000010
【図９】
2010244391.tif 000011
【図１０】
2010244391.tif 000012
【図１１】
2010244391.tif 000013
【図１２】
2010244391.tif 000014
【図１３】
2010244391.tif 000015
【図１４】
2010244391.tif 000016
【図１５】
2010244391.tif 000017